【手続補正書】
【提出日】平成17年11月16日(2005.11.16)
【手続補正１】
【補正対象書類名】明細書
【補正対象項目名】特許請求の範囲
【補正方法】変更
【補正の内容】
【特許請求の範囲】
【請求項１】
ヘッド部とインク供給部とからなり、該ヘッド部の上端部に形成される開口部から突設されるインク受け入れ用のパイプに該インク供給部のインク供給路からインクが供給されるように構成されるインクジェットヘッドにおいて、
該パイプは、弾性環状部材により外嵌されることを特徴とするインクジェットヘッド。
【請求項２】
前記弾性環状部材が非弾性環状部材によりさらに外嵌されることを特徴とする請求項１記載のインクジェットヘッド。
【請求項３】
前記弾性環状部材の上下面が該インクの供給路の端面と該ヘッド部の上端部の端面との間に狭持されることを特徴とする請求項１又は２記載のインクジェットヘッド。
【請求項４】
前記ヘッド部の上端部は、ヘッドセグメントを収容する筐体の上蓋であり、前記インク供給部は、インクカートリジおよびインクカートリジホルダとからなり、前記インク供給路は、該インクカートリジホルダの端部に突設される貫通孔部を有する突起であって、該インク供給路の前記端面は、該突起の端面であり、前記弾性環状部材はＯリングであることを特徴とする請求項３記載のインクジェットヘッド。
【請求項５】
前記筐体の上蓋に形成される前記開口部は、前記インク供給部側に向けて拡大した開口を有して段差状に形成され、前記非弾性環状部は、該開口部の拡大した開口の壁部であることを特徴とする請求項４記載のインクジェットヘッド。
【請求項６】
前記弾性環状部材の前記上下面は、前記インク供給路の端面または前記ヘッド部の上端部の端面のいずれにも固着されることなく、前記パイプと一体的に該パイプの径方向に移動可能に設けられることを特徴とする請求項４又は５に記載のインクジェットヘッド。
【請求項７】
前記ヘッド部の上端部は、ヘッドセグメントを収容する筐体の上蓋であり、前記インク供給部は、インクタンクと前記インク供給路とからなり、該インク供給路は、可撓性管路と、貫通孔部を有する突起の形成された支持部材とからなり、該可撓性管路は、一端部が該インクタンクに接続されるとともに、他端部が該支持部材の該貫通孔部に接続され、該インク供給路の前記端面は該突起の端面であり、前記弾性環状部材はＯリングであることを特徴とする請求項３記載のインクジェットヘッド。
【請求項８】
前記筐体の上蓋に形成される前記開口部は、前記インク供給部側に向けて拡大した開口を有して段差状に形成され、前記非弾性環状部は、該開口部の拡大した開口の壁部であることを特徴とする請求項７記載のインクジェットヘッド。
【請求項９】
前記弾性環状部材の前記上下面は、前記インク供給路の端面または前記ヘッド部の上端部の端面のいずれにも固着されることなく、前記パイプと一体的に水平方向に移動可能に設けられることを特徴とする請求項７又は８に記載のインクジェットヘッド。
【請求項１０】
ヘッド部とインク供給部とからなり、該ヘッド部の上端部に形成される開口部から突設されるインク受け入れ用のパイプに該インク供給部のインク供給路からインクが供給されるように構成されるインクジェットヘッドを有するプリンタにおいて、該インクジェットヘッドは、該パイプが弾性環状部材により外嵌されることを特徴とするプリンタ。
【請求項１１】
前記環状弾性部材が非弾性環状部材によりさらに外嵌されることを特徴とする請求項１０に記載のプリンタ。
【請求項１２】
前記環状弾性部材の上下面が該インク供給路の端面と該ヘッド部の上端部の端面との間に狭持されることを特徴とする請求項１０又は１１に記載のプリンタ。
【手続補正２】
【補正対象書類名】明細書
【補正対象項目名】０００６
【補正方法】変更
【補正の内容】
【０００６】
【課題を解決するための手段】
本発明に係るインクジェットヘッドは、ヘッド部とインク供給部とからなり、該ヘッド部の上端部に形成される開口部から突設されるインク受け入れ用のパイプに該インク供給部のインク供給路からインクが供給されるように構成されるインクジェットヘッドにおいて、該パイプは、弾性環状部材により外嵌されることを特徴とする（請求項１に係る発明）。また、本発明に係るインクジェットヘッドにおいて、前記弾性環状部材が非弾性環状部材によりさらに外嵌されることを特徴とする（請求項２に係る発明）。また、前記弾性環状部材の上下面が該インクの供給路の端面と該ヘッド部の上端部の端面との間に狭持されることを特徴とする（請求項３に係る発明）。
【手続補正３】
【補正対象書類名】明細書
【補正対象項目名】０００８
【補正方法】変更
【補正の内容】
【０００８】
また、本発明に係るインクジェットヘッドにおいて、前記ヘッド部の上端部は、ヘッドセグメントを収容する筐体の上蓋であり、前記インク供給部は、インクカートリジおよびインクカートリジホルダとからなり、前記インク供給路は、該インクカートリジホルダの端部に突設される貫通孔部を有する突起であって、該インク供給路の前記端面は、該突起の端面であり、前記弾性環状部材はＯリングであり（請求項４に係る発明）、または、前記ヘッド部の上端部は、ヘッドセグメントを収容する筐体の上蓋であり、前記インク供給部は、インクタンクと前記インク供給路とからなり、該インク供給路は、可撓性管路と、貫通孔部を有する突起の形成された支持部材とからなり、該可撓性管路は、一端部が該インクタンクに接続されるとともに、他端部が該支持部材の該貫通孔部に接続され、該インク供給路の前記端面は該突起の端面であり、前記弾性環状部材はＯリングであると（請求項７に係る発明）、好適に本発明の効果を奏することができる。
【手続補正４】
【補正対象書類名】明細書
【補正対象項目名】０００９
【補正方法】変更
【補正の内容】
【０００９】
また、本発明に係るインクジェットヘッドにおいて、前記筐体の上蓋に形成される前記開口部は、前記インク供給部側に向けて拡大した開口を有して段差状に形成され、前記非弾性環状部は、該開口部の拡大した開口の壁部であると（請求項５、８に係る発明）、非弾性環状部として格別に部材を設けることなく本発明の効果を奏することができる。
【手続補正５】
【補正対象書類名】明細書
【補正対象項目名】００１０
【補正方法】変更
【補正の内容】
【００１０】
また、本発明に係るインクジェットヘッドにおいて、前記弾性環状部材の前記上下面は、前記インク供給路の端面または前記ヘッド部の上端部の端面のいずれにも固着されることなく、前記パイプと一体的に該パイプの径方向に移動可能に設けられると（請求項６、９に係る発明）、パイプの位置決め精度が必ずしも十分でなくインク供給路の中心線から若干ずれている場合であっても、インクジェットヘッドを組立てる際に、弾性環状部材の中心線がパイプの中心線と一致した状態で組立てられるため、弾性環状部材の中心線がパイプの中心線とずれたままの状態で組立てられるときと比べて弾性環状部材の復元力による応力がパイプにかかることがなく、好適である。
【手続補正６】
【補正対象書類名】明細書
【補正対象項目名】００１１
【補正方法】変更
【補正の内容】
【００１１】
また、本発明に係るプリンタは、ヘッド部とインク供給部とからなり、該ヘッド部の上端部に形成される開口部から突設されるインク受け入れ用のパイプに該インク供給部のインク供給路からインクが供給されるように構成されるインクジェットヘッドを有するプリンタにおいて、該インクジェットヘッドは、該パイプが弾性環状部材により外嵌されることを特徴とする（請求項１０に係る発明）。また、前記環状弾性部材が非弾性環状部材によりさらに外嵌されることを特徴とする（請求項１１に係る発明）。また、前記環状弾性部材の上下面が該インク供給路の端面と該ヘッド部の上端部の端面との間に狭持されることを特徴とする（請求項１２に係る発明）。